(57)【要約】【課題】伸縮機能を設けた持ち運びに便利な孫の手で、使用中にその伸縮部分部が衣服内で縮んだり、先端が回転しないようにしたポケット孫の手を提供する。【解決手段】伸縮部分を成型加工してバックル機能を設けることにより、柄部の伸縮を確実に固定する事ができる。さらに、柄部本体を円筒以外に成型することにより、柄部の回転を防ぐ事を可能にする。【選択図】  図１
2006346395.tif 000002
【特許請求の範囲】
【請求項１】
伸縮可能な本体柄部の断面が、円筒以外の形状で成形されることを特徴とするポケット孫の手。
【請求項２】
前記本体柄部は、伸ばしていくと、柄部末端の両横に設けた凸部と凹部が自動的に嵌着するようなバックル機能を設ける事を特徴とする請求項１記載のポケット孫の手。
【請求項３】
前記バックル機能は、本体柄部自体を加工成型して、単一構成で当該機能を有することを特徴とする請求項１記載のポケット孫の手。
【発明の詳細な説明】
【技術分野】
【０００１】  本発明は、伸縮機能を有する柄が、使用中に伸縮及び回転が起こらないようにした、持ち運びに便利なポケット孫の手に関するものである。
【背景技術】
【０００２】  従来の伸縮機能を有する孫の手は、外径の異なる円筒状に成形された柄部を複数段組み合わすことにより、使用時にはそれらを伸ばし、収納時には縮めて保管できるという携帯性に優れたものであった。【０００３】  なお、本願考案に関連する公知技術として次の特許文献１及び特許文献２を挙げる事が出来る。【０００３】
【特許文献１】  特許公開平９−１２２１９１
【特許文献２】  特許公開２００１−１７８７８９
【発明の開示】
【発明が解決しようとする課題】
【０００４】  これは次のような欠点があった。
使用中に複数段で構成されている連結部の結合が緩んでしまい、口径の小さい柄部が口径の大きい柄部の中に入り込んで、いくら持ち手を上下に動かしても、背中を掻く事ができなくなってしまう。
さらには、柄部が円筒状で形成されている為、掻手ツメ部を有する最先端柄部が回転してしまい、ツメ部が衣服の中で、背中とは反対方向に向いてしまう。
これらを通常の機能に修復又は改善するには、衣服の中に挿入している孫の手を一旦抜き取り、連結部を引っ張って結合を固定し、ツメ部の方向を確認したうえで再度、衣服内に挿入する必要があり、きわめてわずらわしい作業であった。
さらに、柄部全体が円筒状で形成されている為に、ネクタイの着用時等、襟の窮屈な衣服の着用時において、挿入が困難である。
本発明は、以上のような欠点をなくすためになされたものである。
【課題を解決するための手段】
【０００５】  伸縮機能を有する柄部の連結固定方法として、柄部を伸ばしていくと、柄部末端の両横に設けた凸部と凹部が自動的に嵌着するようなバックル機能を設ける。
凸部と凹部の嵌着には、柄部本体自体を加工成型してバックル機能を設ける事により、単一構成で当該機能を有する。
本体断面を、円筒以外の平坦な形状で成形する。
本発明は、以上の構成より成るポケット孫の手である。
【発明の効果】
【０００６】  伸縮機能を設ける事により、持ち運びが便利になる。又、胸ポケットや、背広の内ポケット等に差し込む事を可能とする。
伸縮機能を有する柄部の連結に、柄部を伸ばしていくと、柄部末端の両横に設けた凸部と凹部が自動的に嵌着するようなバックル機能を設ける事により、使用中においても、確実に連結部を固定する事ができる。
凸部と凹部の嵌着には、柄部本体自体を加工成型してバックルを設け、単一構成で当該機能を有することにより、容易かつ安価で製造ができ、さらには、撥条を用いる等の複雑な構造を必要としない為、故障の発生率も下げる事ができる。
本体両横に２箇所のバックルを設ける事により、本体横方向への力に対しての耐久性を持たせる事ができる。
本体の断面を、円筒以外の平坦な形状で成形する為、襟部の窮屈な衣服の着用時においても用意に挿入ができ、衣服内で柄部が回転する事を防止できる。又、本体断面を円筒以外で形成する事により、ツメ部の方向を常に把握する事ができるという効果を齎す。
【発明を実施するための最良の形態】
【０００７】  以下、本発明の実施の形態を図面に基づき詳細に説明する。【０００８】  図１〜図５は本発明の実施の形態に係り、図１はその外観斜視図、図２はその側面図、図３はその平面図、図４は嵌着が可能なバックル部分の構造説明図、図５は本体の断面図である。【０００９】  図１に示すように本ポケット孫の手１は、伸縮可能な柄部を複数段設け、掻手部３の末端と、持ち手部５の先端及び、中間柄部の両端部に、嵌着が可能なバックル機能２を設ける。【００１０】  バックル機能２は、ツメ部７を持って引っ張る事により、それぞれに設けた凹部に自動的に嵌着し、柄部の伸縮を固定する事が出来る。【００１１】  図２は本発明の側面図である。柄部は円筒形以外の形状に成型する事により、掻手部３の回転を防止する事が出来る。【００１２】  掻手部３の先端にはツメ部７を設け、さらにその手前を少し窪ませる事により、ツメ部の出っ張りを最小限に抑え、なおかつツメ部７の機能を有効に働かせる事が出来る。これにより窮屈な襟部の納入を容易にする事を可能とする。【００１３】  図３は本発明の平面図である。バックル機能２は、それぞれの柄部の両端に２箇所設ける事により、横方向の力に対して優れた耐久性を持たせる事が出来る。【００１４】  図４に示すように、バックル機能２は、本体そのものに加工成型することにより、単一構造体でその機能を有し、故障及び破損等の問題を大幅に改善する事が出来る。【００１５】  柄部５の凹部に嵌着したバックル機能２は、その凸部を手で押し込む事により、容易に柄部を縮め、収納する事が出来る。【００１６】  図５に示すように本体の断面形状は、正四角形以外で成型する事により、上下方向の力に対して優れた耐久性を持たせる事が出来る。【００１７】  持ち手部５には胸ポケットや背広の内ポケットに差し込む事ができるようにフック６を設ける。【００１８】  ポケット孫の手１の基本的な構造体の素材は、再生及び加工が比較的容易で、デザイン性豊かな合成樹脂が望ましい。【００１９】  以上、本発明の実施の形態及び実施例を説明したが、本発明の範囲はこれに限定されるものではない。例えば、伸縮機能を有する柄部の段数、本体の断面形状、ツメ部の形状及び向き、バックル機能の取り付け位置ならびに形態は、状況に応じて適宣選択されるものである。【００２０】  さらに、実施例では基本的な構造体の素材は、合成樹脂で説明しているが、構造体の材質は合成樹脂に限られるものではなく、その他、例えば、金属、ゴム等、構造体として適当な任意の材質のものが利用でき、形状、大きさも任意に選択する事ができる。【００２１】  本発明は一般家庭での家庭用品、オフィス用品、さらには業務用品として製造・販売する産業分野で利用する事ができる。
【図面の簡単な説明】
【００２２】
【図１】  本発明の実施の形態に係るポケット孫の手の外観斜視図である。
【図２】  図１のポケット孫の手の側面図である。
【図３】  図１のポケット孫の手の平面図である。
【図４】  図１のポケット孫の手の嵌着が可能なバックル部分の構造説明図である。
【図５】  図１のポケット孫の手の本体断面図である。
【符号の説明】
【００２３】１          ポケット孫の手
２          バックル機能
３          掻手部
４          中間柄部
５          持ち手部
６          フック
７          ツメ部
【図１】
2006346395.tif 000003
【図２】
2006346395.tif 000004
【図３】
2006346395.tif 000005
【図４】
2006346395.tif 000006
【図５】
2006346395.tif 000007